(57)【特許請求の範囲】
【請求項１】
壁面や窓枠などの屋内の取付面に取付けて使用される電子機器を有し、上記取付面に接合する上端縁部に、結露水等の水滴を誘落させる樋部を形成し、且つ、上記電子機器は、防犯センサーの警報器であって、取付板に規制片を起立自在に重合させて成る補助錠を、一方の引き違い戸に固着するとともに、この補助錠の接触を感知する検知部を設けた警報器を、他方の引き違い戸に取り付けて成り、上記補助錠の規制片を起立させているときに、いずれか一方の引き違い戸を開ける動作をすれば、上記警報器は補助錠の接触を感知して警報音を出力させるとともに、上記起立させた規制片によって、引き違い戸のそれ以上の開き動作を阻止する構造にしている防犯機器。
【請求項２】
壁面や窓枠などの屋内の取付面に取付けて使用される電子機器を有し、上記取付面に接合する上端縁部に、結露水等の水滴を誘落させる樋部を形成し、且つ、上記電子機器は、防犯センサーの警報器であって、取付板に規制片を起立自在に重合させて成る補助錠を、一方の引き違い戸に固着するとともに、この補助錠の起立した規制片の接近を感知する検知部を設けた警報器を、他方の引き違い戸に取り付けて成り、上記補助錠の規制片を起立させているときに、いずれか一方の引き違い戸を開ける動作をすれば、上記警報器は補助錠の起立した規制片の接近を感知して警報音を出力させるとともに、上記起立させた規制片によって、引き違い戸のそれ以上の開き動作を阻止する構造にしている防犯機器。
【請求項３】
請求項１又は２の何れかにおいて、上記樋部は、電子機器の上面を、直接面取り、又は段落ちに形成した構造にしている防犯機器。
【請求項４】
請求項１〜３の何れかにおいて、上記樋部は、電子機器に台座、突起、両面テープなどの介在物を介在させて、壁面等に取付けることによって、上記電子機器の上面と介在物との間に隙間を形成して構成している防犯機器。
【請求項５】
請求項１〜４の何れかにおいて、上記樋部は、少なくとも一側端に向けて降下する傾斜面部を形成した構造にしている防犯機器。
【請求項６】
請求項１〜５の何れかにおいて、上記取付面に接合する側端縁部に、前記樋部と連通し結露水等の水滴を誘落させる溝部を形成したことを特徴とする防犯機器。
【請求項７】
請求項６において、上記溝部は、電子機器の側端縁部を、直接面取り、又は段落ちに形成した構造にしている防犯機器。
【請求項８】
請求項６において、上記溝部は、電子機器に台座、突起、両面テープなどの介在物を介在させて、壁面等に取付けることによって、上記電子機器の側部と介在物との間に隙間を形成して構成されている防犯機器。
【請求項９】
請求項１〜８において、上記電子機器は、窓や戸に取り付ける防犯センサーである防犯機器。
【請求項１０】
請求項１〜９の何れかにおいて、上記規制片は、２枚の平板材を途中部分で折曲可能に互いに枢着したものであって、起立させるときには、平面視略Ｌ字形に折曲させる規制折片から成る防犯機器。
【発明の詳細な説明】
【発明の属する技術分野】
【０００２】
本発明は、壁面や窓枠など（以下、「壁面等」とも呼ぶ。）の屋内の取付面に取付けて使用される電子機器に、上記取付面を伝わって垂れ落ちてきた結露水等の水滴（以下、「水滴」とも呼ぶ。）が溜まることを防止する防滴構造を有する電子機器を備えた防犯機器に関する。
【従来の技術】
【０００３】
図９は、従来の電子機器における取付構造を示す斜視図である。
この電子機器における取付構造は、壁面等１００の屋内の取付面１０１に、防犯センサーの警報器である電子機器１０２を図のように密着させて固定し、この電子機器１０２のスイッチ１０３を入れて防犯警報状態にする。
【０００４】
この防犯警報状態のときに、外部からの侵入者が壁面等１００を開けようとすれば、上記電子機器１０２に設けた検知部１０４が反応して、警報音を鳴動し、侵入者の警報を行なうものである。
【０００５】
なお、ここでは窓枠１００の取付面１０１に防犯センサーの警報器である電子機器１０２を固定した場合を例示したが、防犯センサーの警報器以外、例えばガラス破壊センサーや窓，扉開閉センサーの電子機器１０２でも同様である。
【発明が解決しようとする課題】
【０００６】
この電子機器１０２は、壁面等１００の屋内の取付面１０１に密着して固定されており、また、水の掛からない場所に固定されるものであるため、防水処理は成されていない。
【０００７】
しかし、季節、場所によっては、電子機器１０２を固定した屋内の取付面１０１には、水滴Ｓが生じることがある。
【０００８】
この水滴Ｓは、図９の矢印Ａに示すように、上記電子機器１０２の上方から、取付面１０１を伝わって垂れ落ち、やがて上記電子機器１０２が取付面１０１と接合する上端縁部１０５に達する。
【０００９】
そして、この上端縁部１０５に達した水滴Ｓは、その一部が表面張力によって、図中Ｂで示すように上記電子機器１０２が取付面１０１と接合する側端縁部１０６に沿って下方へと垂れ落ちる。
【００１０】
ところが、上端縁部１０５に達した水滴Ｓの他の一部は、表面張力によって、図中Ｃで示すように上記電子機器１０２の上面１０７に流れて溜まり、さらに電子機器１０２の外表面に沿って下方へと垂れ落ちる。
【００１１】
このとき、電子機器１０２の上面１０７に設けたスイッチ１０３の隙間や孔１０８などから電子機器１０２内部に水滴Ｓが浸入して、電子部品の腐蝕や漏電等を誘発し、電子機器１０２を破壊するという問題がある。
【００１２】
また、上記電子機器１０２に既存の防水処理を施せば、製造上の手間を要し、高コストとなる問題がある。
【００１３】
本発明は、かかる課題を解決することを目的とするもので、壁面や窓枠などの屋内の取付面に取付けて使用される電子機器に、結露水などの水滴が浸入することを簡易に防止できる電子機器における防滴構造および該電子機器を有する防犯機器を提供する。
【課題を解決するための手段】
【００１４】
上記目的を達成するため、請求項１係る防犯機器は、壁面や窓枠などの屋内の取付面に取付けて使用される電子機器を有し、上記取付面に接合する上端縁部に、結露水等の水滴を誘落させる樋部を形成し、且つ、上記電子機器は、防犯センサーの警報器であって、取付板に規制片を起立自在に重合させて成る補助錠を、一方の引き違い戸に固着するとともに、この補助錠の接触を感知する検知部を設けた警報器を、他方の引き違い戸に取り付けて成り、上記補助錠の規制片を起立させているときに、いずれか一方の引き違い戸を開ける動作をすれば、上記警報器は補助錠の接触を感知して警報音を出力させるとともに、上記起立させた規制片によって、引き違い戸のそれ以上の開き動作を阻止する構造にしている。
【００１５】
請求項１では、壁面や窓枠等の取付面に取付けた電子機器の上方に、取付面を伝わって結露水等の水滴が垂れ落ちてきても、樋部に落ち込むので、電子機器の上面に溜まることがなく、電子機器の内部に水滴が浸入することを防止できる。
【００１６】
また、上記電子機器は防犯センサーの警報器であって、この警報器に水滴が浸入することを防止できることに加え、いずれか一方の引き違い戸を開けたときに、一方の引き違い戸に固着された補助錠の起立された規制片が、他方の引き違い戸に取り付けた電子機器である警報器の検知片に接触して感知され、この警報器から警報音が出力されるとともに、引き違い戸のそれ以上の開き動作が阻止されるので、屋外からの侵入者等が窓部の引き違い戸を開けようとするときに、警報音を発して侵入者等を知らせることができると共に、引き違い戸をそれ以上開けることを阻止し、侵入者等の侵入を防止することができるという機能を同時に達成できる。
【００１７】
請求項２係る防犯機器は、壁面や窓枠などの屋内の取付面に取付けて使用される電子機器を有し、上記取付面に接合する上端縁部に、結露水等の水滴を誘落させる樋部を形成し、且つ、上記電子機器は、防犯センサーの警報器であって、取付板に規制片を起立自在に重合させて成る補助錠を、一方の引き違い戸に固着するとともに、この補助錠の起立した規制片の接近を感知する検知部を設けた警報器を、他方の引き違い戸に取り付けて成り、上記補助錠の規制片を起立させているときに、いずれか一方の引き違い戸を開ける動作をすれば、上記警報器は補助錠の起立した規制片の接近を感知して警報音を出力させるとともに、上記起立させた規制片によって、引き違い戸のそれ以上の開き動作を阻止する構造にしている。
【００１８】
請求項２では、上記電子機器は防犯センサーの警報器であって、この警報器に水滴が浸入することを防止できることに加え、補助錠の規制片を起立させた状態で、いずれか一方の引き違い戸を開けたときに、一方の引き違い戸の補助錠の規制片の接近を、他方の引き違い戸の電子機器である警報器の検知部で感知して警報音が出力されるとともに、規制片によって引き違い戸のそれ以上の開き動作が阻止されるので、屋外からの侵入者等が窓部の引き違い戸を開けようとするときに、警報音を発して侵入者等を知らせることができると共に、引き違い戸をそれ以上開けることを阻止し、侵入者等の侵入を防止することができるという機能を同時に達成できる。
【００１９】
請求項３に係る防犯機器は、請求項１又は２の何れかにおいて、上記樋部は、電子機器の上面を、直接面取り、又は段落ちに形成した構造にしている。
【００２０】
請求項３では、電子機器の上端を、面取り又は段落ちに形成するだけで、樋部を形成でき、構造が簡易である。
【００２１】
請求項４に係る防犯機器は、請求項１〜３の何れかにおいて、上記樋部は、電子機器に台座、突起、両面テープなどの介在物を介在させて、壁面等に取付けることによって、上記電子機器の上面と介在物との間に隙間を形成して構成されている。
【００２２】
請求項４では、電子機器の形状をそのままにして、介在物の形状を加工するだけでよいので、樋部をより簡単に形成でき、既存の電子機器をそのまま利用できる。
【００２３】
請求項５に係る防犯機器は、請求項１〜４の何れかにおいて、上記樋部は、少なくとも一側端に向けて降下する傾斜面部を形成した構造にしている。
【００２４】
請求項５では、樋部に傾斜面部を設けることで、水滴がスムーズに側方に流れ落ちる。
【００２５】
請求項６に係る防犯機器は、請求項１〜５の何れかにおいて、上記取付面に接合する側端縁部に、前記樋部と連通し結露水等の水滴を誘落させる溝部を形成したことを特徴とする。
【００２６】
請求項６では、壁面や窓枠等の取付面に取付けた電子機器の上方に、取付面を伝わって水滴が垂れ落ちてきても、樋部を介して溝部に流れ落ちるので、電子機器の側面から水滴が浸入することを防止できる。
【００２７】
請求項７に係る防犯機器は、請求項６において、上記溝部は、電子機器の側端縁部を、直接面取り、又は段落ちに形成した構造にしている。
【００２８】
請求項７では、電子機器が取付面と接合する側端縁部を、面取り又は段落ちに形成するだけで、溝部を形成でき、構造が簡単である。
【００２９】
請求項８に係る防犯機器は、請求項６において、上記溝部は、電子機器に台座、突起、両面テープなどの介在物を介在させて、壁面等に取付けることによって、上記電子機器の側部と介在物との間に隙間を形成して構成されている。
【００３０】
請求項８では、電子機器の形状をそのままにして、介在物の形状を加工するだけでよいので、溝部をより簡単に形成でき、既存の電子機器をそのまま利用できる。
【００３１】
請求項９に係る防犯機器は、請求項１〜８において、上記電子機器は、窓や戸に取り付ける防犯センサーである。
【００３２】
請求項９では、窓や戸などの屋外と屋内に接している取付物に取り付ける防犯センサーを採用することにより、窓や戸で結露等が起こっても、結露水等の水滴により防犯センサーの機能が破壊される可能性が少なく、信頼性の高い防犯センサーが提供できる。
【００３３】
ここで、上記防犯センサーは、従来から提供されている機能の防犯センサー、例えばガラス破壊センサーや窓，戸開閉センサー等でもよい。
【００３４】
請求項１０に係る防犯機器は、請求項１〜９の何れかにおいて、上記規制片は、２枚の平板材を途中部分で折曲可能に互いに枢着したものであって、起立させるときには、平面視略Ｌ字形に折曲させる規制折片から成る。
【００３５】
請求項１０では、上記規制片は、平面視略Ｌ字形に折曲させた規制折片から成るため、引き違い戸の開放を規制折片で確実に規制できる。
【発明の実施の形態】
【００３６】
以下、本発明に係る防滴構造を有する電子機器を備えた防犯機器を図面に基づき説明する。図１は、本発明に係る防犯機器における電子機器の第一実施例を示す斜視図である。この図は、アルミサッシなどの引き違い窓における窓枠１の屋内の取付面２に、電子機器３を固定した場合を例示している。
【００３７】
ここでは、窓や戸に取り付ける防犯センサーである電子機器３を取付けた場合を示しており、このような窓や戸などの屋外と屋内に接している取付物に取り付ける防犯センサーを採用することにより、窓や戸で結露等が起こっても、結露水等の水滴により防犯センサーの機能が破壊される可能性が少なく、信頼性の高い防犯センサーが提供できる。
ここで、上記防犯センサーは、従来から提供されている機能の防犯センサー、例えばガラス破壊センサーや窓，戸開閉センサー等でもよい。
【００３８】
また、取付面２は、アルミサッシなどの引き違い窓における窓枠１の屋内側に設けているが、これに限定されるものではなく、室内の壁面、ガラス面、アルミサッシ、窓枠、金属面、結露する可能性のある面、等を含む。
なお、結露しにくい取付面２に取り付けた場合でも、取付面２を伝って垂れ落ちてくる水滴に関して同様の効果がある。
【００３９】
上記電子機器３は、壁面や窓枠など（以下、「壁面等」とも呼ぶ。）１の屋内の取付面２に、粘着テープ、ネジ（不図示）などで固定されており、電子機器３が取付面２と接合する上端縁部４に、上記電子機器３の上方から取付面２を伝わって垂れ落ちてくる結露水等の水滴（以下「水滴」とも呼ぶ。）Ｓを誘落させる樋部５を形成している。
【００４０】
具体的には、上記電子機器３が取付面２に接合する上端を、図１で示すように斜めに面取り成形して上記樋部５を形成している。
なお、６は、防犯センサーの警報器を鳴動するための検知部である。
【００４１】
図２（ａ），（ｂ）は、樋部の他の実施例を示す側面図である。
図２（ａ）では、上記電子機器３が取付面２に接合する上端を、図で示すようにＲ状に面取り成形して樋部５を形成している。
【００４２】
図２（ｂ）では、上記電子機器３が取付面２に接合する上端を、図で示すように階段状に段落ちに成形して樋部５を形成している。
このように、上記電子機器３が取付面２に接合する上端を、面取り又は段落ちに成形するだけで樋部５を形成でき、構造を簡単にできる。
【００４３】
ところで、図１のように電子機器３を固定した壁面１等には、季節、場所によって、結露水などの水滴（以下「水滴」とも呼ぶ。）Ｓが生じる。
この水滴Ｓは、図１の矢印Ａに示すように、上記電子機器３の上方から、取付面２を伝わって垂れ落ち、やがて上記電子機器３が取付面２と接合する上端縁部４に達する。
【００４４】
ところが、この上端縁部４には上記樋部５を形成しているので、垂れ落ちた水滴Ｓは、この樋部５に誘落し、その全部が図中矢印Ｂで示すように上記電子機器３が取付面２と接合する側端縁部７へと誘導されて下方に垂れ落ちる。したがって、上記水滴Ｓは、上記電子機器３の上面３１に溜まることがない。そのため、電子機器３の上面３１に孔が形成してあったり、スイッチ３２などを設けてあっても、その孔やスイッチ３２との隙間３２ａなどから電子機器３の内部に水滴Ｓが浸入することがないので、部品の腐蝕や漏電等を誘発することがない。
【００４５】
図３は、本発明に係る防犯機器における電子機器の第二実施例を示す斜視図である。なお、図１と共通する部位には、共通の番号を付しており、その説明を省略している。
図３では、上記電子機器３が取付面２と接合する上端縁部４から段落ちさせて、略厚みのある両面テープである介在物８を介在させて貼着し、上記電子機器３の上面３１と介在物８との間に隙間を形成することによって上記樋部５を形成している。
【００４６】
また、図４（ａ），（ｂ）は、上記介在物の他の実施例を示す側面図である。
図４（ａ）では、上記電子機器３が取付面２と接合する上端縁部４から段落ちさせて、上記電子機器３に突設した介在物８を一体成形し、この介在物８を取付面２に固定して、上記電子機器３の上面３１と介在物８との間に隙間を形成することによって上記樋部５を形成している。
【００４７】
図４（ｂ）では、上記電子機器３が取付面２と接合する上端縁部４から段落ちさせて、上記電子機器３と別体に成形した介在物８を取付面２に固定して、上記電子機器３の上面３１と介在物８との間に隙間を形成することによって上記樋部５を形成している。
【００４８】
このような介在物８を形成すれば、上記電子機器３と取付面２との間に介在物８を介在して取付けるだけで隙間を形成でき、この隙間が樋部５の機能を成すため、図１同様の効果を成すと共に、既存の電子機器３をそのまま利用することもできる。
【００４９】
図５は、樋部の他の実施例を背面側から見た斜視図である。
この樋部５は、少なくとも一側端に向けて降下する傾斜面部５１を形成した構造にしており、図５では、上記電子機器３が取付面２と接合する上端中央から両側方に降下する傾斜面部５１、５１を形成している。
【００５０】
このような傾斜面部５１を設けた樋部５を形成すれば、樋部５に落ち込んだ水滴Ｓを電子機器３の側方へスムーズに誘落することができ、水滴Ｓが多くても樋部５に溜まることがない。
【００５１】
図６（ａ）〜（ｃ）は、本発明に係る防犯機器における電子機器の第三実施例を示す概略平面図である。
なお、図１、２と共通する部位には、共通の番号を付しており、その説明を省略する。
【００５２】
図６（ａ）は、図１で示した電子機器３が上記取付面２と接合する側端縁部７に、前記樋部５と連通し結露水等の水滴Ｓを電子機器３の下端へと誘落させる溝部９を更に形成している。
【００５３】
このような溝部９を形成すれば、上記樋部５の効果に加えて、壁面や窓枠等１の取付面２に取付けた電子機器３の上方にから取付面２を伝わって水滴Ｓが垂れ落ちてきても、樋部５を介して溝部９に誘落するので、電子機器３の側面から水滴Ｓが浸入することをも防止できる。
【００５４】
また、図６（ｂ）では、上記電子機器３が上記取付面２と接合する側端縁部７を直接面取りした溝部９を示し、図６（ｃ）では上記電子機器３が上記取付面２と接合する側端縁部７を段落ちに形成した溝部９を示している。
このように、上記溝部９は、電子機器３が取付面２と接合する側端縁部７を、面取り又は段落ちに成形するだけで形成でき、構造が簡単である。
【００５５】
図７（ａ）〜（ｃ）は、本発明に係る防犯機器における電子機器の第四実施例を示す概略平面図である。なお、図３，４と共通する部位には、共通の番号を付しており、その説明を省略している。
【００５６】
図７（ａ）は、図３で示した上記電子機器３が取付面２と接合する上端縁部４から段落ちさせると共に、その側端縁部７からも段落ちさせて、略厚みのある両面テープである介在物８を介在させて貼着し、上記電子機器３の上面３１と介在物８との間だけでなく、電子機器３の側部３３と介在物８との間にも隙間を形成することによって上記樋部５に連通する溝部９を形成している。
【００５７】
また、図７（ｂ）では、図４（ａ）で示した上記電子機器３が取付面２と接合する上端縁部４から段落ちさせると共に、その側端縁部７からも段落ちさせて、上記電子機器３に突設した介在物８を一体成形し、この介在物８を取付面２に固定して、上記電子機器３の上面３１と介在物８との間だけでなく、電子機器３の側部３３と介在物８との間にも隙間を形成することによって上記樋部５に連通する溝部９を形成している。
【００５８】
図７（ｃ）では、、図４（ｂ）で示した上記電子機器３が取付面２と接合する上端縁部４から段落ちさせると共に、その側端縁部７からも段落ちさせて、上記電子機器３と別体に成形した介在物８を取付面２に固定して、上記電子機器３の上面３１と介在物８との間だけでなく、電子機器３の側部３３と介在物８との間にも隙間を形成することによって上記樋部５に連通する溝部９を形成している。
【００５９】
このような溝部９を形成すれば、電子機器３の形状をそのままにして、介在物８の形状を加工するだけでよいので、溝部９をより簡単に形成でき、既存の電子機器３をそのまま利用することも可能である。
【００６０】
図８は、本発明に係る防犯機器の実施例を示す斜視図である。
なお、図１〜図４と共通する部位には、共通の番号を付しており、その説明を省略する。
図８では、上記電子機器３は、防犯センサーの警報器であって、取付板１１に規制片１２を起立自在に重合させて成る補助錠１０を、壁面等１である一方の引き違い戸１ａに固着するとともに、この補助錠１０の接触を感知する検知部６を設けた上記警報器３を、他方の引き違い戸１ｂに取り付けて成り、上記補助錠１０の規制片１２を起立させているときに、いずれか一方の引き違い戸１ａ，１ｂを開ける動作をすれば、上記警報器３は補助錠１０の接触を感知して警報音を出力させるとともに、上記起立させた規制片１２によって、引き違い戸１ａ，１ｂのそれ以上の開き動作を阻止する構造にしている。
【００６１】
また、上記警報器３の検知部６は、補助錠１０との接触を感知するものに限定されず、例えば上記補助錠１０の規制片１２の接近を感知して警報音を出力させるものであっても可能である。
【００６２】
上記補助錠１０は、図８に示すように、１枚の取付板１１と、この取付板１１に起立・重合自在に設けた規制片１２と、取付板１１の表面に突設され、規制片１１の先端が係止して起立状態に保持するための係止爪１１ａとで構成されている。
また、上記規制片１２は、２枚の平板材を途中部分で折曲可能に互いに枢着したものであって、起立させるときには、平面視略Ｌ字形に折曲させる規制折片１２ａ，１２ａに形成すれば、上記引き違い戸１ａ，１ｂの開き動作を確実に規制できる。
更に、上記補助錠１０は、これを直列に複数並べて一方の引き違い戸１ａに固着することもでき、上記規制片１２を起立させる補助錠１を選択すれば、規制ストロークを任意に調整できる。
【００６３】
このような電子機器３を有する防犯機器によれば、いずれか一方の引き違い戸１ａ，１ｂを開けたときに、一方の引き違い戸１ａに固着された補助錠１０の起立された規制片１２が、他方の引き違い戸１ｂに取り付けた警報器３の検知部６に接触して感知され、この警報器３から警報音が出力されるとともに、引き違い戸１ａ，１ｂのそれ以上の開き動作が阻止されるので、屋外からの侵入者等が引き違い戸１ａ，１ｂを開けようとするときに、警報音を発して知らせることができると共に、引き違い戸１ａ，１ｂをそれ以上開けることを確実に阻止し、侵入者等の侵入を防止することができるという機能を同時に達成できる。
【００６４】
しかも、他方の引き違い戸１ｂに固定した上記警報器３には、上記樋部５（及び溝部９）が形成されているので、図１〜図７で説明したように、この警報器３の上面３１（及び側部３３）に結露水等の水滴Ｓが溜まることを同時に防止できるのである。
【発明の効果】
【００６５】
本発明によれば、次のような効果がある。
【００６６】
請求項１に係る防犯機器によれば、壁面や窓枠等の取付面に取付けた電子機器の上方に、取付面を伝わって結露水等の水滴が垂れ落ちてきても、樋部に落ち込むので、電子機器の上面に溜まることがなく、電子機器の内部に水滴が浸入することを防止できる。
【００６７】
また、上記電子機器は防犯センサーの警報器であって、この警報器に水滴が浸入することを防止できることに加え、いずれか一方の引き違い戸を開けたときに、一方の引き違い戸に固着された補助錠の起立された規制片が、他方の引き違い戸に取り付けた電子機器である警報器の検知片に接触して感知され、この警報器から警報音が出力されるとともに、引き違い戸のそれ以上の開き動作が阻止されるので、屋外からの侵入者等が窓部の引き違い戸を開けようとするときに、警報音を発して侵入者等を知らせることができると共に、引き違い戸をそれ以上開けることを阻止し、侵入者等の侵入を防止することができるという機能を同時に達成できる。
【００６８】
請求項２に係る防犯機器によれば、上記電子機器は防犯センサーの警報器であって、この警報器に水滴が浸入することを防止できることに加え、補助錠の規制片を起立させた状態で、いずれか一方の引き違い戸を開けたときに、一方の引き違い戸の補助錠の規制片の接近を、他方の引き違い戸の電子機器である警報器の検知部で感知して警報音が出力されるとともに、規制片によって引き違い戸のそれ以上の開き動作が阻止されるので、屋外からの侵入者等が窓部の引き違い戸を開けようとするときに、警報音を発して侵入者等を知らせることができると共に、引き違い戸をそれ以上開けることを阻止し、侵入者等の侵入を防止することができるという機能を同時に達成できる。
【００６９】
請求項３に係る防犯機器によれば、電子機器の上端を、面取り又は段落ちに形成するだけで、樋部を形成でき、構造が簡易である。
【００７０】
請求項４に係る防犯機器によれば、電子機器の形状をそのままにして、介在物の形状を加工するだけでよいので、樋部をより簡単に形成でき、既存の電子機器をそのまま利用できる。
【００７１】
請求項５に係る防犯機器によれば、樋部に傾斜面部を設けることで、水滴がスムーズに側方に流れ落ちる。
【００７２】
請求項６に係る防犯機器によれば、壁面や窓枠等の取付面に取付けた電子機器の上方に、取付面を伝わって水滴が垂れ落ちてきても、樋部を介して溝部に流れ落ちるので、電子機器の側面から水滴が浸入することを防止できる。
【００７３】
請求項７に係る防犯機器によれば、電子機器が取付面と接合する側端縁部を、面取り又は段落ちに形成するだけで、溝部を形成でき、構造が簡単である。
【００７４】
請求項８に係る防犯機器によれば、電子機器の形状をそのままにして、介在物の形状を加工するだけでよいので、溝部をより簡単に形成でき、既存の電子機器をそのまま利用できる。
【００７５】
請求項９に係る防犯機器によれば、窓や戸などの屋外と屋内に接している取付物に取り付ける防犯センサーを採用することにより、窓や戸で結露等が起こっても、結露水等の水滴により防犯センサーの機能が破壊される可能性が少なく、信頼性の高い防犯センサーが提供できる。
【００７６】
請求項１０に係る防犯機器によれば、上記規制片は、平面視略Ｌ字形に折曲させた規制折片から成るため、引き違い戸の開放を規制折片で確実に規制できる。
【図面の簡単な説明】
【図 １】本発明に係る防犯機器における電子機器の第一実施例を示す斜視図で
【図 ２】（ａ），（ｂ）は、樋部の他の実施例を示す側面図
【図 ３】本発明に係る防犯機器における電子機器の第二実施例を示す斜視図
【図 ４】（ａ），（ｂ）は、介在物の他の実施例を示す側面図
【図 ５】樋部の他の実施例を背面側から見た斜視図
【図 ６】（ａ）〜（ｃ）は、本発明に係る防犯機器における電子機器の第三実施例を示す概略平面図
【図 ７】（ａ）〜（ｃ）は、本発明に係る防犯機器における電子機器の第四実施例を示す概略平面図
【図 ８】本発明に係る電子機器を有する防犯機器の実施例を示す斜視図
【図 ９】従来の電子機器における取付構造を示す斜視図
【符号の説明】
Ｓ 結露水等の水滴
Ａ、Ｂ，Ｃ 水滴の流路
１ 壁面等（引き違い戸）
２ 取付面
３ 電子機器
３１ 上面
４ 上端縁部
５ 樋部
５１ 傾斜面部
６ 検知部
７ 側端縁部
８ 介在物
９ 溝部
１０ 補助錠
１１ 取付板
１２ 規制片
１２ａ 規制折片
【図１】
0003936826.tif 000002
【図２】
0003936826.tif 000003
【図３】
0003936826.tif 000004
【図４】
0003936826.tif 000005
【図５】
0003936826.tif 000006
【図６】
0003936826.tif 000007
【図７】
0003936826.tif 000008
【図８】
0003936826.tif 000009
【図９】
0003936826.tif 000010